(57)【要約】      （修正有）【課題】自然環境に優しく、リサイクル（再利用）性に豊む歯ブラシを提供する。【解決手段】歯ブラシハンドル２片方端に円筒軸を設け、該円筒軸に糸束１が放射状に開き、中央部が溶着固定され、中心に小孔を有する極薄ディスクブラシ素子を、スペーサー３と交互に好適量差し込み、円筒軸先端部を溶着固定した円筒形歯ブラシ（スペーサーを使用せず、前記極薄ディスクブラシ素子の側面に凸部を全周に設けた製品もある）である。溶着歯ブラシであり、歯ブラシハンドル、ブラシを単一物性とした。これにより、歯ブラシ全てが単一物性となる。【選択図】図１
2020124458.tif 000002
【特許請求の範囲】
【請求項１】
片手で握り往復移動することにより、歯面清掃を行なう歯ブラシであって、該歯ブラシの構造がブラシ糸束を固定するために金属片を使用せず、前記ブラシ糸束の固定方法が溶着によるものである歯ブラシにおいて、前記ブラシ糸束と該歯ブラシハンドル、使用品の全てが同系樹脂であることを特徴とする溶着歯ブラシ。
【請求項２】
請求項１の溶着歯ブラシであって、該歯ブラシの物性がポリアミド系樹脂であることを特徴とする溶着歯ブラシ。
【請求項３】
請求項１の溶着歯ブラシであって、該歯ブラシの物性がポリエステル系樹脂であることを特徴とする溶着歯ブラシ。
【請求項４】
請求項１乃至３の溶着歯ブラシであって、該歯ブラシのブラシ糸束の先端がテーパー形状に加工されていることを特徴とする溶着歯ブラシ。
【発明の詳細な説明】
【技術分野】
【０００１】本発明は、同種類の樹脂単体で製造される歯ブラシに関する。
【背景技術】
【０００２】市販される歯ブラシにおけるブラシ部の構造は、手動、電動歯ブラシに関係なく該大多数が、好適量の糸束を約３０ｍｍ位にカット後、前記糸束を中央部より二ツ折りし、該糸束間に金属片（真鍮製が大半）を差し入れ、歯ブラシ片方端に位置するブラシ台座部に予め設けられた複数の小孔に打ち込み製造される「植え込み歯ブラシ」であり、エンドユーザーは「該事実を知らない」のが現状である。【０００３】しかし、近年「環境の問題」から、ヨーロッパ（ＥＵ）を中心に前記した金属片を使用しない溶着歯ブラシがシェアを拡大している。【０００４】また、日本国内においても歯ブラシの形状は異なるものの色々な種類の溶着歯ブラシが製造販売されている。その製品に関する文献の一部を下記に示した。【０００５】
【特許文献１】特開２００３−１３５１５４号公報。
【特許文献２】特開２００５−１０３２２５号公報。
【発明者が解決しようとする課題】
【０００６】本願発明者においても、溶着歯ブラシに対して多数の特許出願を今迄に行なっているが、樹脂製品である以上「自然環境」を考え同時に世界の流れからいえば、金属片（真鍮）を排除し、且歯ブラシを単一の樹脂製品とすることが必要である。本願発明者は、この歯ブラシを製造することを課題とした。
【課題を解決するための手段】
【０００７】歯ブラシハンドルを射出成型によって製造することに好適な樹脂は、ポリプロピレン（ＰＰ）樹脂、エービーエス（ＡＢＳ）樹脂、ポリアミド（ＰＡ＝ナイロン）樹脂、ポリエチレンテレフタレート（ＰＥＴ）樹脂、ポリブチレンテレフタレート（ＰＢＴ）樹脂、飽和ポリエステル（ＰＥＳ）樹脂があり、溶着歯ブラシにおけるブラシ糸束（熱可塑性樹脂）に好適な樹脂は、ポリアミド樹脂、ポリブチレンテレフタレート樹脂、飽和ポリエステル樹脂であり、使用可能（現状で他の目的から糸として加工実積あり）な物性は、ポリエチレンテレフタレート樹脂（釣り用リーダー）、ポリプロピレン樹脂、ポリトリメチレンテレフタレート（ＰＴＴ）樹脂の両製品は腰がなく柔らかいため溶着歯ブラシには不向きである。そして、前記同物性の好適な組み合わせを解決の手段とし、下記表１に示した。
【０００８】
【表１】
2020124458.tif 000003
【０００９】表１を参照することで、歯ブラシハンドルとして使用量が最大のポリプロピレン樹脂は、該加工に要する価格は最安価であるが、ブラシ部材としては柔らく腰がないことから本願発明には不向きである。ＡＢＳ樹脂においてもブラシ部材として不適格である。そして、ポリトリメチレンテレフタレートも、ハンドル射出成形品、ブラシ部においても歯ブラシにおいては不向きといえる。
これにより、ポリアミド樹脂、ポリエチレンテレフタレート樹脂、ポリブチレンテレフタレート樹脂、飽和ポリエステル樹脂の４種類が現行においては本願発明に好適といえる。
【発明の効果】
【００１０】金属片（真鍮片）を使用しないことに加え、前記した同物性の樹脂の組み合わせにより製造された歯ブラシは「純粋な樹脂のみの単一物性」であり、自然環境に戻ることのない樹脂のリサイクル（再利用）が完全なかたちで実施できる、エコマークの製品であり且、金属アレルギー対応の製品となった。
【発明を実施するための最良の形態】
【００１１】以下、本発明を実施するための最良の形態を図をもって説明する。【００１２】図面により示した図１乃至４の製品は全て溶着歯ブラシであって、図１乃至３は本願発明者が以前、特許出願した製品であり図１の製品は特許登録後製品化され現在も販売されている。また、図２及び３においては現在製品化の準備段階であり、図４は、図１に示すブラシ素子単体を、歯ブラシハンドルに対し垂直に設置し、回転自由とした製品である。【００１３】次に、前記溶着歯ブラシを図の順に説明する。【００１４】図１は、歯ブラシハンドル２片方端に円筒軸を設け、該円筒軸に糸束１が放射状に開き、該中央部が溶着固定され中心に小孔を有する極薄ディスクブラシ素子を、スペーサー３と交互に好適量差し込み、円筒軸先端部を溶着固定した円筒形歯ブラシ（スペサーを使用せず、前記極薄ディスクブラシ素子の側面に凸部を全周に設けた製品もある）である。そして、図４は、前記極薄ディスクブラシ素子を回転軸４に好適量挿入し、回転自由としたブラシ部糸束１を設けた回転歯ブラシである。【００１５】そして、図２は、歯ブラシ全体量の糸束１の片方端を溶解し、該糸束１を溶着固定すると同時に台座部を成形及び湾曲させ、円錐形状に開いた糸束１を、小孔が好適量開けられた湾曲部５に挿入固定（糸束１を分配する方法）し、歯ブラシハンドル２に予め設けられた蓋部を超音波溶着固定する構造の半球型歯ブラシであり、図３は、糸束１を金属片（真鍮片）で固定する従来の市販植え込み歯ブラシと同形状であり、予めブラシ部に開けられた貫通小孔全てに、糸束１を個別に挿入し溶着固定し、別の樹脂により歯ブラシハンドル２を同時成形または装置する構造であり、前記半球型歯ブラシとは構成（考え方）が真逆な平型歯ブラシである。【００１６】ただし、前記した歯ブラシのブラシ形状及び該効果効能は異なるものであっても、金属片（真鍮片）を一切使用しない溶着歯ブラシであり、これらの各歯ブラシのみ本願発明が実施可能となる製造品である。
それに加え、本願発明者が十数年前に発明し現在も、該製品を製造販売する当業者であっても「単一物性を有する円筒型歯ブラシ」の考えは一切ない。【００１７】また、本願発明においてはポリアミド系樹脂に加え、ポリエステル系樹脂（ポリエチレンテレフタレート、ポリブチレンテレフタレート、飽和ポリエステル）を使用するため、該各糸束は硬く先端部をテーパー加工することも重要である。
【図面の簡単な説明】
【００１８】
【図１】本願発明により単一樹脂物性が可能となる、円筒型歯ブラシの正面図。
【図２】本願発明により単一樹脂物性が可能となる、半球型歯ブラシの正面図。
【図３】本願発明により単一樹脂物性が可能となる、平型歯ブラシの正面図。
【図４】本願発明により単一樹脂物性が可能となる、回転歯ブラシの正面図。
【符合の説明】
【００１９】１、糸束。
２、歯ブラシハンドル。
３、スペーサー。
４、回転軸。
５、湾曲部。
【図１】
2020124458.tif 000004
【図２】
2020124458.tif 000005
【図３】
2020124458.tif 000006
【図４】
2020124458.tif 000007